(57)【要約】【課題】ユーザが出店者サイトからの誘導によりショッピングモールサイトに訪れた場合であっても、当該ユーザが誤ったサイトに誘導されたと誤解することを回避し、また、出店者がユーザをショッピングモールサイト内の自己の店舗へ誘導する施策の意味が薄れてしまうことを回避すること等が可能なサーバ装置、情報提供方法、及びサーバプログラムを提供する。【解決手段】サーバ装置は、何れかの情報提供元のサイトからネットワークを介して端末装置に提供されたＷｅｂページに含まれる総合サイトへのリンク情報が指定されることにより当該端末装置から送信されたアクセス要求を受信すると、当該アクセス要求にパラメータが含まれているか否かを判定し、当該パラメータが含まれている場合に、当該パラメータに対応付けられたコンテンツ情報を端末装置に提供する。【選択図】図８
2011053836.tif 000002
【特許請求の範囲】
【請求項１】
ネットワークを介して端末装置に対して、複数の情報提供元に属する店舗の店舗情報を提供する総合サイトを構成するサーバ装置であって、
コンテンツ情報を、前記情報提供元毎に個別に割り当てられたパラメータに対応付けて記憶するコンテンツ記憶手段と、
何れかの前記情報提供元のサイトからネットワークを介して端末装置に提供されたＷｅｂページに含まれる前記総合サイトへのリンク情報が指定されることにより当該端末装置から送信されたアクセス要求を受信するアクセス要求受信手段と、
前記受信されたアクセス要求に前記パラメータが含まれているか否かを判定する判定手段と、
前記アクセス要求に前記パラメータが含まれていると判定された場合、当該パラメータに対応付けられた前記コンテンツ情報を前記コンテンツ記憶手段から抽出するコンテンツ抽出手段と、
前記抽出されたコンテンツ情報をネットワークを介して前記端末装置に送信する情報提供手段と、
を備えることを特徴とするサーバ装置。
【請求項２】
請求項１に記載のサーバ装置において、
前記情報提供元に属する複数の店舗の店舗情報を、前記情報提供元毎に判別可能に記憶する店舗情報記憶手段と、
端末装置のユーザの属性情報を、前記ユーザ毎に判別可能に記憶する属性情報記憶手段と、
前記アクセス要求を送信した前記端末装置のユーザの認証処理を行う認証手段と、
前記認証処理により特定されたユーザの属性情報を前記属性情報記憶手段から抽出する属性情報抽出手段と、
前記抽出されたユーザの属性情報に基づいて、当該ユーザに商品を配達可能な店舗の店舗情報を前記店舗情報記憶手段から抽出する店舗情報抽出手段と、
を備え、
前記情報提供手段は、前記抽出された店舗情報をネットワークを介して前記端末装置に送信することを特徴とするサーバ装置。
【請求項３】
請求項１に記載のサーバ装置において、
前記情報提供元に属する複数の店舗の店舗情報を、前記情報提供元毎に個別に割り当てられた前記パラメータに対応付けて記憶する店舗情報記憶手段と、
前記アクセス要求に含まれた前記パラメータに対応する前記情報提供元に属する全ての店舗の店舗情報を前記店舗情報記憶手段から抽出する店舗情報抽出手段と、
を備え、
前記情報提供手段は、前記抽出された店舗情報をネットワークを介して前記端末装置に送信することを特徴とするサーバ装置。
【請求項４】
請求項３に記載のサーバ装置において、
端末装置のユーザの属性情報を、前記ユーザ毎に判別可能に記憶する属性情報記憶手段と、
前記アクセス要求を送信した前記端末装置のユーザの認証処理を行う認証手段と、
前記認証処理により特定されたユーザの属性情報を前記属性情報記憶手段から抽出する属性情報抽出手段と、
を備え、
前記店舗情報抽出手段は、前記パラメータに対応する前記情報提供元に属する全ての店舗の店舗情報のうちから、前記抽出されたユーザの属性情報に基づいて、当該ユーザに商品を配達可能な店舗の店舗情報をさらに抽出し、
前記情報提供手段は、前記さらに抽出された店舗情報をネットワークを介して前記端末装置に送信することを特徴とするサーバ装置。
【請求項５】
請求項１に記載のサーバ装置において、
前記情報提供元に属する複数の店舗の店舗情報を、前記情報提供元毎に判別可能に記憶する店舗情報記憶手段と、
端末装置のユーザの属性情報を、前記ユーザ毎に判別可能に記憶する属性情報記憶手段と、
前記アクセス要求を送信した前記端末装置のユーザの認証処理を行う認証手段と、
前記認証処理により特定されたユーザの属性情報を前記属性情報記憶手段から抽出する属性情報抽出手段と、
前記アクセス要求に含まれた前記パラメータに対応する前記情報提供元に属する全ての店舗の店舗情報を前記店舗情報記憶手段から抽出し、当該抽出した店舗情報のうちから、前記抽出されたユーザの属性情報に基づいて、当該ユーザに商品を配達可能な店舗の店舗情報を抽出する店舗情報抽出手段と、
前記抽出された全ての店舗の店舗情報を表示するＷｅｂページであって、前記抽出された配達可能な店舗の店舗情報に設定されたリンク情報のみを有効にするＷｅｂページを生成するＷｅｂページ生成手段と、
を備え、
前記情報提供手段は、前記生成されたＷｅｂページをネットワークを介して前記端末装置に送信することを特徴とするサーバ装置。
【請求項６】
ネットワークを介して端末装置に対して、複数の情報提供元に属する店舗の店舗情報を提供する総合サイトを構成するサーバ装置における情報提供方法であって、
コンテンツ情報を、前記情報提供元毎に個別に割り当てられたパラメータに対応付けて記憶するステップと、
何れかの前記情報提供元のサイトからネットワークを介して端末装置に提供されたＷｅｂページに含まれる前記総合サイトへのリンク情報が指定されることにより当該端末装置から送信されたアクセス要求を受信するステップと、
前記受信されたアクセス要求に前記パラメータが含まれているか否かを判定するステップと、
前記アクセス要求に前記パラメータが含まれていると判定された場合、当該パラメータに対応付けられた前記コンテンツ情報を前記コンテンツ記憶手段から抽出するステップと、
前記抽出されたコンテンツ情報をネットワークを介して前記端末装置に送信するステップと、
を含むことを特徴とする情報提供方法。
【請求項７】
ネットワークを介して端末装置に対して、複数の情報提供元に属する店舗の店舗情報を提供する総合サイトを構成するコンピュータを、
コンテンツ情報を、前記情報提供元毎に個別に割り当てられたパラメータに対応付けて記憶するコンテンツ記憶手段、
何れかの前記情報提供元のサイトからネットワークを介して端末装置に提供されたＷｅｂページに含まれる前記総合サイトへのリンク情報が指定されることにより当該端末装置から送信されたアクセス要求を受信するアクセス要求受信手段、
前記受信されたアクセス要求に前記パラメータが含まれているか否かを判定する判定手段、
前記アクセス要求に前記パラメータが含まれていると判定された場合、当該パラメータに対応付けられた前記コンテンツ情報を前記コンテンツ記憶手段から抽出するコンテンツ抽出手段、及び、
前記抽出されたコンテンツ情報をネットワークを介して前記端末装置に送信する情報提供手段として機能させることを特徴とするサーバプログラム。
【発明の詳細な説明】
【技術分野】
【０００１】
本発明は、インターネット上で多くの店舗が出店するショッピングモールを提供する情報提供システムの技術分野に関する。
【背景技術】
【０００２】
近年、インターネット上で多くの店舗が出店するショッピングモールを提供するサイト（以下、「ショッピングモールサイト」という）が知られている。かかるショッピングモールのユーザ（利用者）は、ショッピングモールサイトからユーザ端末に提供されたＷｅｂページを通じて、ショッピングモールへの出店者により提供された商品の中から所望の商品を選択し、注文手続きを経て選択した商品を購入できるようになっている。このようなショッピングモールに関する技術として、例えば、特許文献１には、簡単にまた低価格で出店でき且つユーザが簡単にショッピングができる検索システムが提案されている。
【先行技術文献】
【特許文献】
【０００３】
【特許文献１】特開2002-236694号公報
【発明の概要】
【発明が解決しようとする課題】
【０００４】
ところで、従来のショッピングモールサイトでは、出店者の公平な取り扱いやユーザからの様々な要望に応えるために、ユーザには利用可能な店舗の店舗情報をユーザ端末上で広く公平に表示させる必要がある。また、通常、ショッピングモールサイトの会員情報登録画面やログイン画面は、当該サイトの標準のフォーマットで統一されている。
【０００５】
しかしながら、ショッピングモールへの一出店者の固有のサイト（以下、「出店者サイト」という）からショッピングモールサイトにリンクが張られている場合がある。このような場合、ユーザ端末においてユーザが出店者サイトからの誘導（ジャンプ）によりショッピングモールサイトに訪れたときに、例えば、ユーザ端末上にショッピングモールサイトの標準の会員情報登録画面やログイン画面が表示されると、当該ユーザは誤ったサイトに誘導されたと誤解する可能性がある。また、ショッピングモールサイトへの出店者は、ユーザを自己のサイトからショッピングモールサイトに誘導させても、当該ショッピングモールサイトからユーザ端末に利用可能な店舗の店舗情報が広く公平に提供されてしまうと、出店者がユーザをショッピングモールサイト内の自己の店舗へ誘導する施策の意味が薄れてしまう等の問題があった。
【０００６】
本発明は、以上の問題等に鑑みてなされたものであり、ユーザが出店者サイトからの誘導によりショッピングモールサイトに訪れた場合であっても、当該ユーザが誤ったサイトに誘導されたと誤解することを回避し、また、出店者がユーザをショッピングモールサイト内の自己の店舗へ誘導する施策の意味が薄れてしまうことを回避すること等が可能なサーバ装置、情報提供方法、及びサーバプログラムを提供することを課題の一例とする。
【課題を解決するための手段】
【０００７】
上記課題を解決するために、請求項１に記載の発明は、ネットワークを介して端末装置に対して、複数の情報提供元に属する店舗の店舗情報を提供する総合サイトを構成するサーバ装置であって、コンテンツ情報を、前記情報提供元毎に個別に割り当てられたパラメータに対応付けて記憶するコンテンツ記憶手段と、何れかの前記情報提供元のサイトからネットワークを介して端末装置に提供されたＷｅｂページに含まれる前記総合サイトへのリンク情報が指定されることにより当該端末装置から送信されたアクセス要求を受信するアクセス要求受信手段と、前記受信されたアクセス要求に前記パラメータが含まれているか否かを判定する判定手段と、前記アクセス要求に前記パラメータが含まれていると判定された場合、当該パラメータに対応付けられた前記コンテンツ情報を前記コンテンツ記憶手段から抽出するコンテンツ抽出手段と、前記抽出されたコンテンツ情報をネットワークを介して前記端末装置に送信する情報提供手段と、を備えることを特徴とする。
【０００８】
この発明によれば、ユーザが情報提供元のサイトからの誘導により総合サイトに訪れた場合であっても、当該ユーザが誤ったサイトに誘導されたと誤解することを回避することができる。
【０００９】
請求項２に記載の発明は、請求項１に記載のサーバ装置において、前記情報提供元に属する複数の店舗の店舗情報を、前記情報提供元毎に判別可能に記憶する店舗情報記憶手段と、端末装置のユーザの属性情報を、前記ユーザ毎に判別可能に記憶する属性情報記憶手段と、前記アクセス要求を送信した前記端末装置のユーザの認証処理を行う認証手段と、前記認証処理により特定されたユーザの属性情報を前記属性情報記憶手段から抽出する属性情報抽出手段と、前記抽出されたユーザの属性情報に基づいて、当該ユーザに商品を配達可能な店舗の店舗情報を前記店舗情報記憶手段から抽出する店舗情報抽出手段と、を備え、前記情報提供手段は、前記抽出された店舗情報をネットワークを介して前記端末装置に送信することを特徴とする。
【００１０】
この発明によれば、情報提供元側は、ユーザにより購入された商品の配達を効率良く行うことができる。
【００１１】
請求項３に記載の発明は、請求項１に記載のサーバ装置において、前記情報提供元に属する複数の店舗の店舗情報を、前記情報提供元毎に個別に割り当てられた前記パラメータに対応付けて記憶する店舗情報記憶手段と、前記アクセス要求に含まれた前記パラメータに対応する前記情報提供元に属する全ての店舗の店舗情報を前記店舗情報記憶手段から抽出する店舗情報抽出手段と、を備え、前記情報提供手段は、前記抽出された店舗情報をネットワークを介して前記端末装置に送信することを特徴とする。
【００１２】
この発明によれば、ユーザが情報提供元のサイトからの誘導により総合サイトに訪れた場合に、当該情報提供元は、総合サイトでの当該ユーザによる商品の購入を、当該情報提供元に属する店舗からに限定でき、情報提供元がユーザを総合サイト内の自己の店舗へ誘導する施策の意味が薄れることを回避することができる。
【００１３】
請求項４に記載の発明は、請求項３に記載のサーバ装置において、端末装置のユーザの属性情報を、前記ユーザ毎に判別可能に記憶する属性情報記憶手段と、前記アクセス要求を送信した前記端末装置のユーザの認証処理を行う認証手段と、前記認証処理により特定されたユーザの属性情報を前記属性情報記憶手段から抽出する属性情報抽出手段と、を備え、前記店舗情報抽出手段は、前記パラメータに対応する前記情報提供元に属する全ての店舗の店舗情報のうちから、前記抽出されたユーザの属性情報に基づいて、当該ユーザに商品を配達可能な店舗の店舗情報をさらに抽出し、前記情報提供手段は、前記さらに抽出された店舗情報をネットワークを介して前記端末装置に送信することを特徴とする。
【００１４】
この発明によれば、ユーザが情報提供元のサイトからの誘導により総合サイトに訪れた場合に、当該情報提供元は、総合サイトでの当該ユーザによる商品の購入を、当該情報提供元に属する店舗からに限定でき、情報提供元がユーザを総合サイト内の自己の店舗へ誘導する施策の意味が薄れることを回避することができ、なおかつ、ユーザにより購入された商品の配達を効率良く行うことができる。
【００１５】
請求項５に記載の発明は、請求項１に記載のサーバ装置において、前記情報提供元に属する複数の店舗の店舗情報を、前記情報提供元毎に判別可能に記憶する店舗情報記憶手段と、端末装置のユーザの属性情報を、前記ユーザ毎に判別可能に記憶する属性情報記憶手段と、前記アクセス要求を送信した前記端末装置のユーザの認証処理を行う認証手段と、前記認証処理により特定されたユーザの属性情報を前記属性情報記憶手段から抽出する属性情報抽出手段と、前記アクセス要求に含まれた前記パラメータに対応する前記情報提供元に属する全ての店舗の店舗情報を前記店舗情報記憶手段から抽出し、当該抽出した店舗情報のうちから、前記抽出されたユーザの属性情報に基づいて、当該ユーザに商品を配達可能な店舗の店舗情報を抽出する店舗情報抽出手段と、前記抽出された全ての店舗の店舗情報を表示するＷｅｂページであって、前記抽出された配達可能な店舗の店舗情報に設定されたリンク情報のみを有効にするＷｅｂページを生成するＷｅｂページ生成手段と、を備え、前記情報提供手段は、前記生成されたＷｅｂページをネットワークを介して前記端末装置に送信することを特徴とする。
【００１６】
この発明によれば、ユーザが情報提供元のサイトからの誘導により総合サイトに訪れた場合であっても、当該情報提供元以外の情報提供元に属する店舗の存在について把握することができる。
【００１７】
請求項６に記載の発明は、ネットワークを介して端末装置に対して、複数の情報提供元に属する店舗の店舗情報を提供する総合サイトを構成するサーバ装置における情報提供方法であって、コンテンツ情報を、前記情報提供元毎に個別に割り当てられたパラメータに対応付けて記憶するステップと、何れかの前記情報提供元のサイトからネットワークを介して端末装置に提供されたＷｅｂページに含まれる前記総合サイトへのリンク情報が指定されることにより当該端末装置から送信されたアクセス要求を受信するステップと、前記受信されたアクセス要求に前記パラメータが含まれているか否かを判定するステップと、前記アクセス要求に前記パラメータが含まれていると判定された場合、当該パラメータに対応付けられた前記コンテンツ情報を前記コンテンツ記憶手段から抽出するステップと、前記抽出されたコンテンツ情報をネットワークを介して前記端末装置に送信するステップと、を含むことを特徴とする。
【００１８】
請求項７に記載のサーバプログラムの発明は、ネットワークを介して端末装置に対して、複数の情報提供元に属する店舗の店舗情報を提供する総合サイトを構成するコンピュータを、コンテンツ情報を、前記情報提供元毎に個別に割り当てられたパラメータに対応付けて記憶するコンテンツ記憶手段、何れかの前記情報提供元のサイトからネットワークを介して端末装置に提供されたＷｅｂページに含まれる前記総合サイトへのリンク情報が指定されることにより当該端末装置から送信されたアクセス要求を受信するアクセス要求受信手段、前記受信されたアクセス要求に前記パラメータが含まれているか否かを判定する判定手段、前記アクセス要求に前記パラメータが含まれていると判定された場合、当該パラメータに対応付けられた前記コンテンツ情報を前記コンテンツ記憶手段から抽出するコンテンツ抽出手段、及び、前記抽出されたコンテンツ情報をネットワークを介して前記端末装置に送信する情報提供手段として機能させることを特徴とする。
【発明の効果】
【００１９】
本発明によれば、何れかの情報提供元のサイトからネットワークを介して端末装置に提供されたＷｅｂページに含まれる総合サイトへのリンク情報が指定されることにより当該端末装置から送信されたアクセス要求が受信されると、当該アクセス要求にパラメータが含まれているか否かが判定され、当該パラメータが含まれている場合に、当該パラメータに対応付けられたコンテンツ情報が端末装置に提供されるように構成したので、ユーザが情報提供元のサイトからの誘導により総合サイトに訪れた場合であっても、当該ユーザが誤ったサイトに誘導されたと誤解することを回避することができる。
【図面の簡単な説明】
【００２０】
【図１】本実施形態に係る情報提供システムＳの概要構成の一例を示す図である。
【図２】本実施形態に係るＮＳサーバ１の概要構成の一例を示すブロック図である。
【図３】各種データベースに登録される内容の一例を示す図である。
【図４】出店者の店舗情報及びパラメータ等のＮＳサーバ１への登録において、ＮＳサーバ１、店舗サーバ２、及びユーザ端末３間における情報のやり取りを示すシーケンス図である。
【図５】会員登録用のリンク情報とログイン用のリンク情報の一例を示す図である。
【図６】ユーザが会員未登録の場合の情報提供サービスにおいて、ＮＳサーバ１、店舗サーバ２、及びユーザ端末３間における情報のやり取りを示すシーケンス図である。
【図７】ユーザ端末３のディスプレイ上に表示されたＷｅｂページの遷移例である。
【図８】ユーザが会員登録済の場合の情報提供サービスにおいて、ＮＳサーバ１、店舗サーバ２、及びユーザ端末３間における情報のやり取りを示すシーケンス図である。
【発明を実施するための形態】
【００２１】
以下、図面を参照して本発明の実施形態について説明する。なお、以下に説明する実施の形態は、情報提供システムに対して本発明を適用した場合の実施形態である。
【００２２】
［１．情報提供システムの構成及び機能概要］
先ず、本発明の一実施形態に係る情報提供システムＳの構成及び概要機能について、図１を用いて説明する。
【００２３】
図１は、本実施形態に係る情報提供システムＳの概要構成の一例を示す図である。
【００２４】
図１に示すように、情報提供システムＳは、ＮＳ（ネットスーパー）サーバ１（サーバ装置の一例）と、店舗サーバ２と、ユーザ端末３（端末装置の一例）と、を含んで構成されている。
【００２５】
ＮＳサーバ１、店舗サーバ２、及びユーザ端末３は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２６】
ＮＳサーバ１は、ショッピングモールサイト（総合サイトの一例）を運営するために設置されたサーバ（Ｗｅｂサーバ、データベースサーバ等）である、ショッピングモールサイトから店舗サーバ２やユーザ端末３に提供されるサイト情報を記憶する。一方、店舗サーバ２は、ショッピングモールへの出店者（情報提供元の一例であり、例えば企業）の出店者サイトを運営するために設置されたサーバ（Ｗｅｂサーバ、データベースサーバ等）であり、出店者サイトからユーザ端末３に提供されるサイト情報を記憶する。なお、図１の例では、説明の便宜上、一つの店舗サーバ２を示しているが、通常、ショッピングモールには多くの出店者が出店しており、店舗サーバは多数存在する。また、本実施形態において、各出店者は複数の店舗（例えば、支店）を出店できるようになっている。
【００２７】
ユーザ端末３は、Ｗｅｂブラウザ機能を有し、ＮＳサーバ１や店舗サーバ２に例えばＨＴＴＰ（Hyper Text Transfer Protocol）リクエストを送信してそのレスポンスとしてＷｅｂページ等を取得し、ディスプレイ上に表示するようになっている。ユーザ端末３のユーザは、ショッピングモールサイトや出店者サイトから提供される情報提供サービスを利用することができる。なお、図１の例では、説明の便宜上、一つのユーザ端末３を示しているが、ユーザ端末３はユーザ毎に多数存在する。また、ユーザ端末３には、例えば、パーソナルコンピュータ、ＰＤＡ（Personal Digital Assistant）、携帯電話機等が適用可能である。
【００２８】
［２．ＮＳサーバ１の構成及び機能］
次に、ＮＳサーバ１の構成及び機能について、図２を用いて説明する。
【００２９】
図２は、本実施形態に係るＮＳサーバ１の概要構成の一例を示すブロック図である。
【００３０】
図２に示すように、ＮＳサーバ１は、通信部１１と、記憶部１２と、入出力インターフェース部１３と、システム制御部１４と、を備えている。そして、システム制御部１４と入出力インターフェース部１３とは、システムバス１５を介して接続されている。
【００３１】
通信部１１は、ネットワークＮＷに接続して、店舗サーバ２又はユーザ端末３との通信状態を制御するようになっている。
【００３２】
記憶部１２は、例えば、ハードディスクドライブ等により構成されており、オペレーティングシステム及びサーバプログラム等の各種プログラムを記憶する。なお、各種プログラムは、例えば、他のサーバ装置等からネットワークＮＷを介して取得されるようにしても良いし、記録媒体に記録されてドライブ装置を介して読み込まれるようにしても良い。
【００３３】
また、記憶部１２には、ショッピングモールサイトから店舗サーバ２やユーザ端末３に提供されるサイト情報を記憶する。ここで、サイト情報は、例えば、各種画面のＷｅｂページ及びＷｅｂページ上に組み込まれる画像等のデータである。
【００３４】
また、記憶部１２には、会員データベース（ＤＢ）１２１（属性情報記憶手段の一例）、認証データベース（ＤＢ）１２２、店舗データベース（ＤＢ）１２３（店舗情報記憶手段の一例）、コンテンツデータベース（ＤＢ）１２４（コンテンツ記憶手段の一例）、及びリンクデータベース（ＤＢ）１２５が構築されている。
【００３５】
図３は、各種データベースに登録される内容の一例を示す図である。
【００３６】
図３（Ａ）に示す会員データベース（ＤＢ）１２１には、会員登録されたユーザ（ショッピングモールの利用者）のユーザＩＤ、名称、住所、電話番号、メールアドレス、届先名称(i)，(ii)、届先住所(i)，(ii)、及び届先電話番号(i)，(ii)等の属性情報（以下、「ユーザ情報」という）が登録されている。かかるユーザ情報は、ユーザＩＤによってユーザ毎に判別可能になっている。ここで、ユーザＩＤは、ユーザを識別するための識別子である。また、届先は、ショッピングモールで購入した商品の配達先を意味する。
【００３７】
図３（Ｂ）に示す認証データベース（ＤＢ）１２２には、ユーザ端末３のユーザのユーザＩＤ、ログインＩＤ、及びパスワードが登録されている。ここで、ログインＩＤ及びパスワードは、ログイン処理（ユーザの認証処理）に使用されるログイン情報である。なお、認証データベース１２２は、会員データベース１２１に含まれても良い。
【００３８】
図３（Ｃ）に示す店舗データベース（ＤＢ）１２３には、出店者の店舗ＩＤ、名称、住所、電話番号、商品情報、配達可能地域、及び配達可能時間等の店舗情報が登録されている。かかる店舗情報は、店舗ＩＤによって出店者毎に判別可能になっている。ここで、店舗ＩＤは、出店者を識別するための識別子である。また、商品情報には、例えば、店舗で取り扱う商品の名称、価格、スペック、及び商品紹介の要約文等の情報が含まれる。また、出店者が複数の店舗（例えば、支店）を出店する場合、店舗データベース１２３には、住所、電話番号、商品情報、配達可能地域、及び配達可能時間が店舗毎に区別されて登録される。
【００３９】
図３（Ｄ）に示すコンテンツデータベース（ＤＢ）１２４には、出店者のコメントや、出店者のロゴ（画像）、その他の画像等のコンテンツ情報が店舗ＩＤに対応付けられて登録されている。なお、コンテンツデータベース１２４は、店舗データベース１２３に含まれても良い。また、店舗情報はコンテンツ情報中に含められるように構成しても良い。
【００４０】
図３（Ｅ）に示すリンクデータベース（ＤＢ）１２５には、出店者毎に個別に割り当てられたパラメータが店舗ＩＤに対応付けられて登録されている。これにより、上述した各出店者のコンテンツ情報は、店舗ＩＤを介して、各出店者に対応するパラメータに対応付けられる。かかるパラメータは、例えば、ＵＲＬ（Uniform Resource Locator）クエリーストリングとして設定（ＵＲＬ中の“?shop=”の後に設定）される（詳細は後述）。
【００４１】
入出力インターフェース部１３は、通信部１１及び記憶部１２とシステム制御部１４との間のインターフェース処理を行うようになっている。
【００４２】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶された各種プログラムを読み出し実行することにより、アクセス要求受信手段、判定手段、認証手段、コンテンツ抽出手段、属性情報抽出手段、店舗情報抽出手段、情報提供手段、及びＷｅｂページ生成手段等として機能する。
【００４３】
［３．情報提供システムの動作］
次に、本発明の一実施形態に係る情報提供システムＳの動作について図４を用いて説明する。
【００４４】
（３．１．出店者の店舗情報及びパラメータ等の登録）
先ず、出店者の店舗情報及びパラメータ等のＮＳサーバ１への登録の流れについて、図４を用いて説明する。
【００４５】
図４は、出店者の店舗情報及びパラメータ等のＮＳサーバ１への登録において、ＮＳサーバ１、店舗サーバ２、及びユーザ端末３間における情報のやり取りを示すシーケンス図である。
【００４６】
ショッピングモールへ初めて出店する出店者のオペレータは、例えば店舗サーバ２に接続された店舗端末（図示せず）を操作して店舗サーバ２からネットワークＮＷを介してＮＳサーバ１に接続させる。これにより、ＮＳサーバ１から店舗情報入力画面のＷｅｂページが店舗サーバ２に送信され、当該店舗情報入力画面のＷｅｂページが店舗端末のディスプレイ上に表示される。そして、当該オペレータが、店舗端末の操作部を操作して、店舗情報入力画面のＷｅｂページ上で、店舗ＩＤ、名称、住所、電話番号、商品情報、配達可能地域、及び配達可能時間等の店舗情報を入力して送信指示を行うと、当該店舗情報が店舗サーバ２からＮＳサーバ１に送信される（ステップＳ１）。
【００４７】
そして、ＮＳサーバ１が店舗情報を受信すると、該ＮＳサーバ１のシステム制御部１４は、受信された店舗情報を店舗データベース１２３に登録する（ステップＳ２）。なお、店舗ＩＤの登録に当たっては、複数の出店者間で重複しないように処理される。
【００４８】
こうして店舗情報が登録されると、ＮＳサーバ１からコンテンツ情報入力画面のＷｅｂページが店舗サーバ２に送信され、当該コンテンツ情報入力画面のＷｅｂページが店舗端末のディスプレイ上に表示される。このようなコンテンツ情報入力画面のＷｅｂページの表示状態で、オペレータが、店舗端末の操作部を操作して、例えば、出店者のコメント、出店者のロゴ（画像）、及びその他の画像等のコンテンツ情報を入力して送信指示を行うと、当該コンテンツ情報が店舗サーバ２からネットワークＮＷを介してＮＳサーバ１に送信される（ステップＳ３）。
【００４９】
そして、ＮＳサーバ１がコンテンツ情報を受信すると、該ＮＳサーバ１のシステム制御部１４は、受信されたコンテンツ情報を、上記ステップＳ２で登録された店舗ＩＤに対応付けてコンテンツデータベース１２４に登録する（ステップＳ４）。これにより、コンテンツ情報と店舗ＩＤが紐付けられる。
【００５０】
一方、店舗サーバ２は、上記ステップＳ３におけるコンテンツ情報の送信後、当該登録処理に係る出店者に対応するパラメータを含むＮＳサーバ１へのリンク情報（例えば、ショッピングモールサイトのＵＲＬ）を会員登録用とログイン用の夫々を生成する（ステップＳ５）。なお、上記パラメータは、例えば、出店者の名称をアルファベットで表した引数である（例えば出店者側で決定）。
【００５１】
図５は、会員登録用のリンク情報とログイン用のリンク情報の一例を示す図である。図５に示すように、それぞれのリンク情報における“?shop=”の後に記述された“ichigostore”がパラメータを示している。つまり、この例では、パラメータは、ＵＲＬクエリーストリングとして設定される。
【００５２】
こうして生成された夫々のリンク情報は、出店者サイトからユーザ端末３に提供されるサイト情報に含められる。例えば、サイト情報としてのＷｅｂページを構成するＨＴＭＬ文書においてショッピングモールサイトを示すテキストや画像に上記リンク情報（ショッピングモールサイトのＵＲＬ）がリンク先として設定される。
【００５３】
また、生成されたリンク情報は、店舗サーバ２からＮＳサーバ１に送信される（ステップＳ６）。
【００５４】
そして、ＮＳサーバ１がリンク情報を受信すると、該ＮＳサーバ１のシステム制御部１４は、受信されたリンク情報に含まれるパラメータを、上記ステップＳ２で登録された店舗ＩＤに対応付けてリンクデータベース１２５に登録する（ステップＳ７）。これにより、パラメータと店舗ＩＤが紐付けられる。
【００５５】
（３．２．ユーザが会員未登録の場合の情報提供サービス）
次に、ユーザが会員未登録の場合の情報提供サービスの流れについて、図６を用いて説明する。
【００５６】
図６は、ユーザが会員未登録の場合の情報提供サービスにおいて、ＮＳサーバ１、店舗サーバ２、及びユーザ端末３間における情報のやり取りを示すシーケンス図である。
【００５７】
ユーザ端末３においてＷｅｂブラウザが起動後、ユーザによる操作部の操作により出店者サイトのＵＲＬが指定されると、当該ＵＲＬに含まれるホスト名（例えば、www.shopabc.jp）に対応する店舗サーバ２のＩＰアドレスがＤＮＳ（Domain Name System）サーバから取得され、ユーザ端末３から店舗サーバ２へアクセス要求（例えば、ＨＴＴＰ（Hyper Text Transfer Protocol）リクエスト）が送信される（ステップＳ１１）。
【００５８】
そして、店舗サーバ２が上記アクセス要求を受信すると、該店舗サーバ３は、上記ステップＳ５で生成されたリンク情報を含む出店者情報画面（例えば、出店者の宣伝、広告等の情報を表示する画面）のＷｅｂページをユーザ端末３に送信する（ステップＳ１２）。
【００５９】
ユーザ端末３が出店者情報画面のＷｅｂページを受信すると、これをディスプレイ上に表示する（ステップＳ１３）。こうして表示された出店者情報画面のＷｅｂページの一例を図７（Ａ）に示す。図７（Ａ）に示す出店者情報画面のＷｅｂページ上に表示された文字列５１には会員登録用のリンク情報が設定されており、文字列５１にはログイン用のリンク情報が設定されている。なお、図７の例では、出店者は「いちごストアー」である。
【００６０】
ユーザ端末３のユーザが未だ会員登録していなかった場合、当該ユーザは図７（Ａ）に示すように表示された文字列５１を操作部により指定（例えばマウスでクリック）することになる。かかる文字列５１が指定されると、これに設定された会員登録用のリンク情報に含まれるホスト名に対応するＮＳサーバ１のＩＰアドレスがＤＮＳサーバから取得され、ユーザ端末３からＮＳサーバ１へアクセス要求（例えば、ＨＴＴＰリクエスト）が送信される（ステップＳ１４）。こうして送信されるアクセス要求には、会員登録用のリンク情報が含まれることになる。
【００６１】
そして、ＮＳサーバ１が上記アクセス要求を受信すると、該ＮＳサーバ１のシステム制御部１４（判定手段の一例）は、受信されたアクセス要求にパラメータが含まれているか否かを判定する（ステップＳ１５）。当該アクセス要求にパラメータが含まれていると判定された場合、システム制御部１４（コンテンツ抽出手段の一例）は、当該パラメータに対応付けられたコンテンツ情報をコンテンツデータベース１２４から抽出する（ステップＳ１６）。より具体的には、システム制御部１４は、リンクデータベース１２５を参照して、アクセス要求に含まれるパラメータに対応する店舗ＩＤを特定し、該特定した店舗ＩＤに対応付けられたコンテンツ情報をコンテンツデータベース１２４から抽出する。
【００６２】
次いで、ＮＳサーバ１のシステム制御部１４（情報提供手段の一例）は、抽出したコンテンツ情報を含む会員情報登録画面のＷｅｂページをユーザ端末３に送信する（ステップＳ１７）。なお、特定された店舗ＩＤに対応付けられたコンテンツ情報と共に、店舗ＩＤに対応する店舗情報の一部（例えば、店舗の名称）を抽出されるように構成し、抽出されたコンテンツ情報と店舗情報の一部を含む会員情報登録画面のＷｅｂページがユーザ端末３に送信されるように構成しても良い。
【００６３】
ユーザ端末３が会員情報登録画面のＷｅｂページを受信すると、これをディスプレイ上に表示する（ステップＳ１８）。こうして表示された会員情報登録画面のＷｅｂページの一例を図７（Ｂ）に示す。図７（Ｂ）に示す会員情報登録画面のＷｅｂページ上には、ユーザ情報を入力するための入力欄が表示されているとともに、コンテンツ情報として、出店者のロゴ５３が表示されている。そして、当該ユーザが、ユーザ端末３の操作部を操作して、会員情報登録画面のＷｅｂページ上で、ユーザＩＤ、名称、住所、電話番号、メールアドレス、届先名称(i)，(ii)、届先住所(i)，(ii)、及び届先電話番号(i)，(ii)等のユーザ情報、並びにログインＩＤ及びパスワードを含むログイン情報を入力して送信指示を行うと、当該ユーザ情報及びログイン情報がユーザ端末３からＮＳサーバ１に送信される（ステップＳ１９）。
【００６４】
そして、ＮＳサーバ１がユーザ情報及びログイン情報を受信すると、該ＮＳサーバ１のシステム制御部１４は、受信されたユーザＩＤ等を含むユーザ情報を会員データベース１２１に登録するとともに、受信されたログイン情報を当該ユーザＩＤに対応付けて認証データベース１２２に登録する（ステップＳ２０）。なお、ユーザＩＤ、ログインＩＤ及びパスワードの登録に当たっては、複数のユーザ間で重複しないように処理される。
【００６５】
次いで、ＮＳサーバ１のシステム制御部１４は、上記ステップＳ１６で取得したコンテンツ情報を含むログイン画面のＷｅｂページをユーザ端末３に送信する（ステップＳ２１）。
【００６６】
ユーザ端末３がログイン画面のＷｅｂページを受信すると、これをディスプレイ上に表示する（ステップＳ２２）。こうして表示されたログイン画面のＷｅｂページの一例を図７（Ｃ）に示す。図７（Ｃ）に示すログイン画面のＷｅｂページ上には、ログインＩＤ及びパスワードを入力するための入力欄が表示されているとともに、コンテンツ情報として、出店者のロゴ５４が表示されている。そして、当該ユーザが、ユーザ端末３の操作部を操作して、ログイン画面のＷｅｂページ上で、ログインＩＤ及びパスワードを入力して送信指示を行うと、当該ログインＩＤ及びパスワードを含むログイン情報がユーザ端末３からＮＳサーバ１に送信される（ステップＳ２３）。
【００６７】
そして、ＮＳサーバ１がログイン情報を受信すると、該ＮＳサーバ１のシステム制御部１４は、上記アクセス要求を送信したユーザ端末３のユーザの認証処理を行い（ステップＳ２４）、ユーザ（ユーザＩＤ）を特定する。具体的には、当該認証処理では、受信されたログインＩＤとパスワードの組が認証データベース１２２に登録されているか否かが判別され、登録されていれば、ユーザが特定される。
【００６８】
次いで、ＮＳサーバ１のシステム制御部１４（属性情報抽出手段の一例）は、上記認証処理により特定されたユーザのユーザ情報（当該ユーザのユーザＩＤに対応するユーザ情報）を会員データベース１２１から抽出する（ステップＳ２５）。
【００６９】
次いで、ＮＳサーバ１のシステム制御部１４（店舗情報抽出手段の一例）は、上記受信されたアクセス要求に含まれるパラメータに対応する出店者に属する全ての店舗の店舗情報を店舗データベース１２３から抽出する（ステップＳ２６）。具体的には、システム制御部１４は、上記ステップＳ１６においてリンクデータベース１２５を参照して特定された店舗ＩＤに対応する店舗情報を店舗データベース１２３から抽出する。
【００７０】
次いで、ＮＳサーバ１のシステム制御部１４は、上記抽出された店舗情報のうちから、上記抽出されたユーザのユーザ情報に基づいて、当該ユーザに商品を配達可能な店舗の店舗情報をさらに抽出（絞り込み）する（ステップＳ２７）。ここで、配達可能な店舗であるか否かは、例えば、ユーザのユーザ情報に含まれる届先住所が、店舗情報に含まれる配達可能地域内に存在するか否かを判別することにより行われる。
【００７１】
そして、ＮＳサーバ１のシステム制御部１４（情報提供手段の一例）は、上記ステップＳ２７でさらに抽出された店舗情報を含む店舗選択画面のＷｅｂページを生成し、当該Ｗｅｂページをユーザ端末３に送信する（ステップＳ２８）。ここで生成されるＷｅｂページは、例えば、上記ステップＳ２７で抽出された店舗の店舗情報に含まれる店舗の名称を含む文字列を表示するＷｅｂページであって、当該文字列に詳細な店舗情報（例えば、商品情報）へのリンク情報が設定されたＷｅｂページとすれば良い。
【００７２】
なお、システム制御部１４は、上記ステップＳ２７でユーザに商品を配達可能な店舗の店舗情報をさらに抽出することなく、上記ステップＳ２６で抽出した全ての店舗の店舗情報を含む店舗選択画面のＷｅｂページを生成し、当該Ｗｅｂページをユーザ端末３に送信するように構成しても良い。或いは、システム制御部１４（情報提供手段の一例）は、アクセス要求に含まれるパラメータとは無関係に、全ての出店者に属する全ての店舗の店舗情報を抽出し、それらの店舗情報のうちから、上記抽出されたユーザのユーザ情報に基づいて、当該ユーザに商品を配達可能な店舗の店舗情報をさらに抽出し、当該抽出した全ての店舗の店舗情報を含む店舗選択画面のＷｅｂページを生成し、当該Ｗｅｂページをユーザ端末３に送信するように構成しても良い。
【００７３】
ユーザ端末３が店舗選択画面のＷｅｂページを受信すると、これをディスプレイ上に表示する（ステップＳ２９）。こうして表示された店舗選択画面のＷｅｂページの一例を図７（Ｄ）に示す。図７（Ｄ）に示す店舗選択画面のＷｅｂページ上には、店舗の名称等を含む文字列５５，５６が選択可能に表示されている。このように表示された各店舗は、例えば、上記アクセス要求に含まれるパラメータに対応する出店者に属する店舗のうち、当該アクセス要求を送信したユーザ端末３のユーザに商品を配達可能な店舗である。そして、ユーザが、ユーザ端末３の操作部を操作して、店舗選択画面のＷｅｂページ上で、所望の店舗の名称等を含む文字列を選択（例えば、マウスでクリック）すると、当該文字列に設定されたリンク情報にしたがって、当該店舗の詳細な店舗情報（例えば、商品情報）を表示するＷｅｂページがＮＳサーバ１から取得され、これが表示されることになる。かかる詳細な店舗情報中には、当該店舗が販売する商品の商品情報が表示され商品購入手続を行うことができる。
【００７４】
（３．３．ユーザが会員登録済の場合の情報提供サービス）
次に、ユーザが会員登録済の場合の情報提供サービスの流れについて、図８を用いて説明する。
【００７５】
図８は、ユーザが会員登録済の場合の情報提供サービスにおいて、ＮＳサーバ１、店舗サーバ２、及びユーザ端末３間における情報のやり取りを示すシーケンス図である。
【００７６】
なお、図８に示すステップＳ３１乃至Ｓ３３の処理は、図６に示すステップＳ１１乃至Ｓ１３の処理と同様であるので、重複する説明を省略する。
【００７７】
図７（Ａ）に示す出店者のＷｅｂページの表示状態において、ユーザ端末３のユーザが既に会員登録している場合、文字列５２を操作部により指定することになる。かかる文字列５２が指定されると、これに設定されたログイン用のリンク情報に含まれるホスト名に対応するＮＳサーバ１のＩＰアドレスがＤＮＳサーバから取得され、ユーザ端末３からＮＳサーバ１へアクセス要求（例えば、ＨＴＴＰリクエスト）が送信される（ステップＳ３４）。こうして送信されるアクセス要求には、ログイン用のリンク情報が含まれることになる。
【００７８】
そして、ＮＳサーバ１が上記アクセス要求を受信すると、該ＮＳサーバ１のシステム制御部１４は、受信されたアクセス要求にパラメータが含まれているか否かを判定する（ステップＳ３５）。当該アクセス要求にパラメータが含まれていると判定された場合、システム制御部１４は、上記ステップＳ１６と同様、当該パラメータに対応付けられたコンテンツ情報をコンテンツデータベース１２４から抽出する（ステップＳ３６）。
【００７９】
なお、図８に示すステップＳ３７乃至Ｓ４５の処理は、図６に示すステップＳ２１乃至Ｓ２９の処理と同様であるので、重複する説明を省略する。
【００８０】
以上説明したように、上記実施形態によれば、ＮＳサーバ１は、何れかの出店者サイトからユーザ端末３に提供されたＷｅｂページに含まれるショッピングモールサイトへのリンク情報が指定されることにより当該ユーザ端末３から送信されたアクセス要求を受信すると、当該アクセス要求に前記パラメータが含まれているか否かを判定し、当該アクセス要求にパラメータが含まれている場合に、当該パラメータに対応付けられたロゴ等のコンテンツ情報を表示する会員情報登録画面やログイン画面のＷｅｂページをユーザ端末３に提供するように構成したので、当該ユーザが出店者サイトからの誘導によりショッピングモールサイトに訪れた場合であっても、当該ユーザが誤ったサイトに誘導されたと誤解することを回避することができる。
【００８１】
また、ＮＳサーバ１は、上記アクセス要求にパラメータが含まれている場合に、当該パラメータに対応する出店者に属する店舗の店舗情報（例えば、店舗の名称を含む文字列）を選択可能に表示する店舗選択画面のＷｅｂページをユーザ端末３に送信するように構成したので、ユーザが出店者サイトからの誘導によりショッピングモールサイトに訪れた場合に、当該出店者は、ショッピングモールサイトでの当該ユーザによる商品の購入を、当該出店者に属する店舗からに限定でき、出店者がユーザをショッピングモールサイト内の自己の店舗へ誘導する施策の意味が薄れることを回避することができる。
【００８２】
さらに、ＮＳサーバ１は、抽出した出店者に属する店舗の店舗情報のうちから、認証処理により特定されたユーザに商品を配達可能な店舗の店舗情報を抽出して、当該店舗の店舗情報を選択可能に表示する店舗選択画面のＷｅｂページをユーザ端末３に送信するように構成したので、出店者側は、ユーザにより購入された商品の配達を効率良く行うことができる。
【００８３】
なお、上記店舗選択画面のＷｅｂページは、例えば、上記ステップＳ２６で抽出された全ての店舗の名称を含む文字列を表示するＷｅｂページであって、上記ステップＳ２４の認証処理により特定されたユーザに配達可能な店舗の名称を含む文字列に設定されたリンク情報のみを有効にする（言い換えれば、当該文字列にのみリンクを張る）Ｗｅｂページとしても良い。これによれば、ユーザが出店者サイトからの誘導によりショッピングモールサイトに訪れた場合であっても、当該出店者以外の出店者に属する店舗の存在について把握することができる。
【００８４】
また、上記実施形態において、上記パラメータはＵＲＬクエリーストリングとして設定されアクセス要求に含まれるように構成したが、別の例として、上記パラメータを出店者サイトのＵＲＬとし、当該ＵＲＬがアクセス要求に含まれるＲｅｆｅｒｅｒヘッダに記述されるように構成しても良い。  
【符号の説明】
【００８５】
１  ＮＳサーバ
２  店舗サーバ
３  ユーザ端末
１１  通信部
１２  記憶部
１３  入出力インターフェース部
１４  システム制御部
１５  システムバス
ＮＷ  ネットワーク
Ｓ  情報提供システム
【図１】
2011053836.tif 000003
【図２】
2011053836.tif 000004
【図３】
2011053836.tif 000005
【図４】
2011053836.tif 000006
【図５】
2011053836.tif 000007
【図６】
2011053836.tif 000008
【図７】
2011053836.tif 000009
【図８】
2011053836.tif 000010